(57)【要約】【課題】発熱を低減したワイヤレス給電における受電用のコントロールＩＣを提供する。【解決手段】電源回路４３０は、整流（ＲＣＴ）端子の整流電圧ＶＲＣＴを受け、所定の電圧レベルに安定化して出力（ＯＵＴ）端子から出力する。ダンプ回路４４０は、ダンプ（ＤＭＰ）端子と接地の間に設けられる電流源４４２を含む。使用において、ダンプ（ＤＭＰ）端子は、外付け抵抗ＲＥＸＴを介して、整流（ＲＣＴ）端子および出力（ＯＵＴ）端子の一方と接続可能である。【選択図】図３
2020167834.tif 000002
【特許請求の範囲】
【請求項１】
ワイヤレス受電装置のコントロールＩＣ（Integrated Circuit）であって、
整流端子と、
出力端子と、
前記整流端子の整流電圧を受け、所定の電圧レベルに安定化して出力端子から出力する電源回路と、
ダンプ端子と、
前記ダンプ端子と接地の間に設けられる電流源を含み、イネーブル、ディセーブルが切り替え可能なダンプ回路と、
を備え、使用において、前記ダンプ端子は、外付け抵抗を介して、前記整流端子および前記出力端子の一方と接続可能であることを特徴とするコントロールＩＣ。
【請求項２】
前記ダンプ回路は、オンが前記ダンプ回路のイネーブルに、オフが前記ダンプ回路のディセーブルに対応する第１スイッチをさらに含むことを特徴とする請求項１に記載のコントロールＩＣ。
【請求項３】
前記第１スイッチは、前記電流源と直列に接続されることを特徴とする請求項２に記載のコントロールＩＣ。
【請求項４】
前記ダンプ回路は、前記電流源をバイパス可能に接続される第２スイッチをさらに含むことを特徴とする請求項１から３のいずれかに記載のコントロールＩＣ。
【請求項５】
過電圧状態において前記第２スイッチをオンする過電圧保護回路をさらに備えることを特徴とする請求項４に記載のコントロールＩＣ。
【請求項６】
前記ダンプ回路および前記ダンプ端子は２系統設けられ、
使用において、一方の前記ダンプ端子は、第１の外付け抵抗を介して前記出力端子と接続され、他方の前記ダンプ端子は、第２の外付け抵抗を介して前記整流端子と接続可能であることを特徴とする請求項１から５のいずれかに記載のコントロールＩＣ。
【請求項７】
前記電源回路に流れる電流を検出し、電流量を示す電流検出信号を生成する電流検出回路をさらに備えることを特徴とする請求項１から６のいずれかに記載のコントロールＩＣ。
【請求項８】
少なくとも前記電流検出信号にもとづき受信電力を計算するコントローラをさらに備えることを特徴とする請求項７に記載のコントロールＩＣ。
【請求項９】
前記コントローラは、前記電流検出信号にもとづいて、前記整流電圧の目標値を制御し、前記整流電圧が前記目標値に近づくように値が調節される電力制御データを生成し、前記電力制御データにもとづいて受信アンテナの電流を変調することを特徴とする請求項８に記載のコントロールＩＣ。
【請求項１０】
受信アンテナが接続される一対の交流端子と、
前記受信アンテナに流れる電流を整流する整流回路と、
をさらに備えることを特徴とする請求項１から９のいずれかに記載のコントロールＩＣ。
【請求項１１】
受信アンテナと、
請求項１０に記載のコントロールＩＣと、
前記コントロールＩＣの前記出力端子と接続される負荷回路と、
を備えることを特徴とする電子機器。
【発明の詳細な説明】
【技術分野】
【０００１】
本発明は、ワイヤレス給電技術に関する。
【背景技術】
【０００２】
近年、電子機器への給電方式として、ワイヤレス給電が普及の兆しを見せている。ワイヤレス給電には、電磁誘導（MI：Magnetic Induction）方式と磁気共鳴（MR：Magnetic Resonance）方式の２つの方式が存在するが、ＭＩ方式では、現在、ＷＰＣ（Wireless Power Consortium）が策定した規格「Qi」が主流となっている。
【０００３】
図１は、Ｑｉ規格に準拠したワイヤレス給電システム１００Ｒの構成を示す図である。給電システム１００Ｒは、送電装置２００Ｒ（ＴＸ、Power Transmitter）と受電装置３００Ｒ（ＲＸ、Power Receiver）を備える。受電装置３００Ｒは、携帯電話端末、スマートホン、オーディオプレイヤ、ゲーム機器、タブレット端末などの電子機器に搭載される。
【０００４】
送電装置２００Ｒは、送信コイル（１次コイル）２０２、ドライバ２０４、コントローラ２０６、復調器２０８を備える。ドライバ２０４は、Ｈブリッジ回路（フルブリッジ回路）あるいはハーフブリッジ回路を含み、送信コイル２０２に駆動信号Ｓ１、具体的には交流の駆動信号を印加し、送信コイル２０２に流れる駆動電流により、送信コイル２０２に電磁界の電力信号Ｓ２を発生させる。コントローラ２０６は、送電装置２００Ｒ全体を統括的に制御するものであり、具体的には、ドライバ２０４のスイッチング周波数、あるいはスイッチングのデューティ比、位相などを制御することにより、送信電力を変化させる。
【０００５】
受電装置３００Ｒは、受信コイル３０２、整流回路３０４、平滑コンデンサ３０６、電源回路３０８、変調器３１０、コントローラ３１２、を備える。受信コイル３０２は、送信コイル２０２からの電力信号Ｓ２を受信するとともに、制御信号Ｓ３を送信コイル２０２に対して送信する。整流回路３０４および平滑コンデンサ３０６は、電力信号Ｓ２に応じて受信コイル３０２に誘起される電流ＩＲＸを整流・平滑化し、直流電圧ＶＲＣＴに変換する。
【０００６】
電源回路３０８は、直流電圧ＶＲＣＴを昇圧あるいは降圧し、コントローラ３１２やその他の負荷５０２に供給する。あるいは負荷５０２は二次電池を含み、電源回路３０８は二次電池を充電するチャージャーを含んでもよい。
【０００７】
Ｑｉ規格（あるいはＰＭＡ規格）では、送電装置２００Ｒと受電装置３００Ｒの間で通信プロトコルが定められており、受電装置３００Ｒから送電装置２００Ｒに対して、制御信号Ｓ３による情報の伝達が可能となっている。この制御信号Ｓ３は、後方散乱変調（Backscatter modulation）を利用して、ＡＳＫ（Amplitude Shift Keying）（あるいはＦＳＫ（Frequency Shift Keying））された形で、受信コイル３０２（２次コイル）から送信コイル２０２に送信される。
【０００８】
この制御信号Ｓ３には、たとえば、受電装置３００Ｒに対する電力供給量を指示する電力制御データ（パケットともいう）、受電装置３００Ｒの固有の情報を示すデータなどが含まれる。復調器２０８は、送信コイル２０２の電流あるいは電圧に含まれる制御信号Ｓ３を復調する。コントローラ２０６は、復調された制御信号Ｓ３に含まれる電力制御データにもとづいて、ドライバ２０４を制御する。
【０００９】
受電装置３００Ｒでは、負荷５０２に供給される負荷電流（電源回路３０８の出力電流）ＩＯＵＴが低下する軽負荷状態あるいは無負荷状態が発生する。これらの状態では、整流回路３０４から負荷側に流れる電流ＩＲＣＴが減少することとなり、給電システム１００Ｒの動作が不安定となる場合がある。具体的には送信電力が一定の条件下で負荷電流ＩＯＵＴ（整流電流ＩＲＣＴ）が極端に小さくなると、整流電圧ＶＲＣＴが非常に大きくなってしまう。あるいは整流回路３０４として、同期整流回路（Ｈブリッジ回路）を用いた場合、整流回路３０４の出力電流ＩＲＣＴが小さいとＨブリッジ回路のスイッチング制御が不安定となる。この問題を解決するために、整流回路３０４の出力には、ダンプ抵抗ＲＤＵＭＰが接続される。軽負荷状態あるいは無負荷状態においては、ダンプ抵抗ＲＤＵＭＰの抵抗値が下げられ、式（１）で与えられるダンプ電流ＩＤＵＭＰを接地に引き込むことで、整流回路３０４が無負荷となるのを防止し、回路動作の安定性を確保する。
ＩＤＵＭＰ＝ＶＲＣＴ／ＲＤＵＭＰ      …（１）
【先行技術文献】
【特許文献】
【００１０】
【特許文献１】特開２０１３−０３８８５４号公報
【特許文献２】特開２０１４−１０７９７１号公報
【発明の概要】
【発明が解決しようとする課題】
【００１１】
本発明者は、図１の受電装置３００Ｒについて検討した結果、以下の課題を認識するに至った。
【００１２】
受電装置３００Ｒの大部分は、コントローラＩＣに集積化される。図２は、コントローラＩＣの回路図である。コントローラＩＣ４００Ｒには、コントローラ４１０、整流回路４２０、電源回路４３０、ダンプ回路４４０Ｒ、ＯＶＰ（過電圧保護）回路４５０が集積化される。整流回路４２０および電源回路４３０はそれぞれ、図１の整流回路３０４および電源回路３０８に対応する。またダンプ回路４４０ＲはＲＣＴ端子からダンプ電流ＩＤＵＭＰを引き抜くように構成される。ＯＶＰ回路４５０は、ＲＣＴ端子の過電圧状態を検出すると、外付けのクランプトランジスタをターンオンし、ＲＣＴ端子の電圧をクランプする。
【００１３】
ダンプ回路４４０Ｒで消費する電力は、ＩＤＵＭＰ×ＶＲＣＴ（Ｗ）であり、１００％が損失となる。この損失はコントローラＩＣ４００Ｒを発熱させる原因となる。
【００１４】
本発明はかかる課題に鑑みてなされたものであり、そのある態様の例示的な目的のひとつは、発熱を低減したワイヤレス給電における受電用のコントロールＩＣの提供にある。
【課題を解決するための手段】
【００１５】
本発明のある態様は、ワイヤレス受電装置のコントローラに関する。このコントローラは、整流端子と、出力端子と、整流端子の整流電圧を受け、所定の電圧レベルに安定化して出力端子から出力する電源回路と、ダンプ端子と、ダンプ端子と接地の間に設けられる電流源を含み、イネーブル、ディセーブルが切り替え可能なダンプ回路と、を備え、使用において、ダンプ端子は、外付け抵抗を介して、整流端子および出力端子の一方と接続可能である。
【００１６】
なお、以上の構成要素の任意の組み合わせや、本発明の構成要素や表現を、方法、装置、システムなどの間で相互に置換したものもまた、本発明の態様として有効である。
【発明の効果】
【００１７】
本発明のある態様によれば、コントロールＩＣの発熱を抑制できる。
【図面の簡単な説明】
【００１８】
【図１】Ｑｉ規格に準拠したワイヤレス給電システムの構成を示す図である。
【図２】コントローラＩＣの回路図である。
【図３】実施の形態に係るコントロールＩＣを備える受電装置のブロック図である。
【図４】変形例１に係るコントロールＩＣの一部のブロック図である。
【図５】変形例２に係るコントロールＩＣの一部のブロック図である。
【図６】変形例３に係る受電装置を示すブロック図である。
【図７】変形例４に係る受電装置を示すブロック図である。
【図８】実施の形態に係る受電装置を備える電子機器を示す図である。
【発明を実施するための形態】
【００１９】
（実施の形態の概要）
本明細書に開示される一実施の形態は、ワイヤレス受電装置（単に受電装置という）のコントロールＩＣ（Integrated Circuit）に関する。コントロールＩＣは、受信アンテナや平滑コンデンサとともに受電装置を構成する。コントロールは、整流端子と、出力端子と、整流端子の整流電圧を受け、所定の電圧レベルに安定化して出力端子から出力する電源回路と、ダンプ端子と、ダンプ端子と接地の間に設けられる電流源を含み、イネーブル、ディセーブルが切り替え可能なダンプ回路と、を備える。使用において、ダンプ端子は、外付け抵抗を介して、整流端子および出力端子の一方と接続可能である。
【００２０】
これにより、ダンプ電流に起因する電力損失の一部は、外付け抵抗によって消費されるため、コントロールＩＣの発熱を抑制できる。
【００２１】
ダンプ回路は、オンがダンプ回路のイネーブルに、オフがダンプ回路のディセーブルに対応する第１スイッチをさらに含んでもよい。
第１スイッチは、電流源と直列に設けられてもよい。あるいは第１スイッチは電流源に内蔵されてもよい。
【００２２】
ダンプ回路は、電流源をバイパス可能に接続される第２スイッチをさらに含んでもよい。第２スイッチをオンした状態では、外付け抵抗を過電圧状態におけるクランプ素子として機能させることができ、過電圧保護をかけることができる。つまり、過電圧保護のための回路を別に設ける場合に比べて、回路面積や部品点数を減らすことができる。
【００２３】
コントロールＩＣは、過電圧状態において第２スイッチをオンする過電圧保護回路をさらに備えてもよい。
【００２４】
コントロールＩＣは、ダンプ端子と電流源を２系統備えてもよい。使用において、一方のダンプ端子は、第１の外付け抵抗を介して出力端子と接続され、他方のダンプ端子は、第２の外付け抵抗を介して整流端子と接続可能であってもよい。これにより、電源回路の前段と後段の両方から、ダンプ電流を引き抜くことが可能となり、コントロールＩＣの動作状態に応じて、２個のダンプ回路を選択的にイネーブル状態とすることができる。
【００２５】
コントロールＩＣは、電源回路に流れる電流を検出し、電流量を示す電流検出信号を生成する電流検出回路をさらに備えてもよい。
【００２６】
コントロールＩＣは、少なくとも電流検出信号にもとづき受信電力を計算するコントローラをさらに備えてもよい。
【００２７】
コントローラは、電流検出信号にもとづいて、整流電圧の目標値を制御し、整流電圧が目標値に近づくように値が調節される電力制御データを生成し、電力制御データにもとづいて受信アンテナの電流を変調してもよい。
【００２８】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２９】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００３０】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３１】
図３は、実施の形態に係るコントロールＩＣ４００を備える受電装置３００のブロック図である。
【００３２】
受電装置３００は、主として、受信アンテナ３０１と、コントロールＩＣ４００と、その他周辺の回路部品を備える。コントロールＩＣ４００は、受電装置３００の主要部品を１パッケージに収容したものである。
【００３３】
受信アンテナ３０１は、直列に接続された受信コイル３０２および共振キャパシタ３０３を含む。受信アンテナ３０１は、コントロールＩＣ４００の交流端子ＡＣ１，ＡＣ２の間に接続される。
【００３４】
コントロールＩＣ４００は、コントローラ４１０、整流回路４２０、電源回路４３０、電流検出回路４３２、ダンプ回路４４０を備える。
【００３５】
また、コントロールＩＣ４００には、ＡＣ１，ＡＣ２端子に加えて、通信用のＣＯＭ１，ＣＯＭ２端子、整流（ＲＣＴ）端子、出力（ＯＵＴ）端子、ダンプ（ＤＭＰ）端子が設けられる。ＣＯＭ１，ＣＯＭ２端子は外付けのキャパシタＣ１，Ｃ２を介して、受信アンテナ３０１の両端（ＡＣ１端子、ＡＣ２端子）と接続される。ＣＯＭ１，ＣＯＭ２端子は、オープンドレイン出力となっている。
【００３６】
コントローラ４１０は、受電装置３００を統合的に制御する。コントローラ４１０は、プロセッサコアとソフトウェアプログラムの組み合わせで実装してもよいし、ハードウェアで実装してもよい。コントローラ４１０の機能はさまざまであるが、たとえばワイヤレス送電装置に送信すべきパケットを生成し、このパケットにもとづいてＣＯＭ１，ＣＯＭ２端子のトランジスタＭ１，Ｍ２を駆動することにより、ＡＭ変調信号をコイル電流に重畳し、送電装置２００にパケットを送信する。
【００３７】
またコントローラ４１０には、コントロールＩＣ４００の各部の電気的状態を監視し、受信電力ＰＲＸを計算したり、電源回路４３０の目標電圧を制御する機能を有する。また後述のように、ダンプ電流のオン、オフを制御する。たとえばコントローラ４１０と付随してＡ／Ｄコンバータ４１２が設けられる。Ａ／Ｄコンバータ４１２は、整流電圧ＶＲＣＴ、電源回路４３０に流れる電流ＩＯＵＴなどをデジタル信号に変換し、コントローラ４１０に供給する。
【００３８】
整流回路４２０は、ＡＣ１端子とＡＣ２端子に接続され、受信アンテナ３０１に流れる電流を整流し、ＲＣＴ端子に全波整流して出力する。ＲＣＴ端子には、平滑コンデンサ３０６が接続される。ＲＣＴ端子に生ずる電圧を、整流電圧ＶＲＣＴという。整流回路４２０は、４個のトランジスタで構成される同期整流回路（フルブリッジ回路）４２２と、同期整流回路４２２を駆動する同期整流コントローラ４２４を含む。同期整流コントローラ４２４は、ＡＣ１端子とＡＣ２端子の電圧にもとづいて、同期整流回路４２２の４個のトランジスタを制御する。
【００３９】
電源回路４３０は、リニアレギュレータ（ＬＤＯ：Low Drop Outputともいう）であり、整流電圧ＶＲＣＴを受け、所定の目標レベルに安定化された出力電圧ＶＯＵＴを生成する。出力電圧ＶＯＵＴは、ＯＵＴ端子から負荷５０２に出力される。負荷５０２は典型的にはバッテリとその充電回路を含みうる。
【００４０】
電源回路４３０と付随して、電流検出回路４３２が設けられる。電流検出回路４３２は、電源回路に流れる電流ＩＯＵＴを検出し、その電流量を示す電流検出信号Ｖｃｓを生成する。上述のＡ／Ｄコンバータ４１２は、この電流検出信号Ｖｃｓをデジタル値に変換する。
【００４１】
ダンプ回路４４０は、電流源４４２およびスイッチＳＷ１を含む。電流源４４２は、ＤＭＰ端子と接地の間に設けられ、ダンプ電流ＩＤＵＭＰを生成する。電流源４４２は可変電流源であってもよく、負荷の状態に応じて、ダンプ電流ＩＤＵＭＰの量を変更可能であってもよい。ダンプ電流ＩＤＵＭＰの量は、コントローラ４１０が決定してもよい。たとえばコントローラ４１０は、出力電流ＩＯＵＴが小さいほど、ダンプ電流ＩＤＵＭＰの量を増やしてもよい。
【００４２】
スイッチＳＷ１は、ダンプ電流ＩＤＵＭＰのオン、オフを切り変えるために使用される。第１スイッチＳＷ１は、図３に示すように、電流源４４２と直列に設けてもよい。あるいは第１スイッチＳＷ１は、電流源４４２に内蔵してもよい。コントローラ４１０は、第１スイッチＳＷ１のオン、オフにもとづいて、ダンプ電流ＩＤＵＭＰの発生、停止を切り替える。
【００４３】
使用において、ＤＭＰ端子は、外付け抵抗ＲＥＸＴを介して、ＲＣＴ端子およびＯＵＴ端子の一方と接続可能である。図３の例では、ＲＣＴ端子と接続されている。
【００４４】
以上がコントロールＩＣ４００の構成である。続いてその動作を説明する。
【００４５】
コントローラ４１０は、電流ＩＯＵＴを監視する。そして、負荷５０２の軽負荷状態あるいは無負荷状態を検出すると、第１スイッチＳＷ１をオン状態とし、ダンプ回路４４０をイネーブル状態とする。これによりダンプ電流ＩＤＵＭＰが、ＲＣＴ端子、外部抵抗ＲＥＸＴ、を経由して、ＤＭＰ端子に吸い込まれる。これにより、整流回路４２０が無負荷となるのを防止し、回路動作の安定性が確保される。
【００４６】
以上がコントロールＩＣ４００の動作である。このコントロールＩＣ４００では、ダンプ電流ＩＤＵＭＰに起因する電力の一部は、外付けの抵抗ＲＥＸＴによって消費され、コントロールＩＣ４００の内部での発熱を低減することができる。
【００４７】
ダンプ電流ＩＤＵＭＰに起因する電力損失は、
Ｐｌｏｓｓ＝ＶＲＣＴ×ＩＤＵＭＰ
である。図２では、このすべてがコントロールＩＣ４００の発熱となっていた。
【００４８】
これに対して、図３では、外付けの抵抗ＲＥＸＴにおいて、電力損失Ｐｌｏｓｓのうち、ＰＥＸＴ＝ＲＥＸＴ×ＩＤＵＭＰ２が消費され、コントロールＩＣ４００の内部での電力損失ＰＩＮＴは、
ＰＩＮＴ＝Ｐｌｏｓｓ−ＰＥＸＴ
＝（ＶＲＣＴ−ＲＥＸＴ×ＩＤＵＭＰ）×ＩＤＵＭＰ
に低減され、コントロールＩＣ４００の発熱が抑制される。
【００４９】
以上がコントロールＩＣ４００の基本構成である。
【００５０】
続いて、コントロールＩＣ４００の変形やその他の実施例を説明する。
【００５１】
図４は、変形例１に係るコントロールＩＣ４００の一部（４００Ａ）のブロック図である。図４のコントロールＩＣ４００Ａにおいて、ダンプ回路４４０Ａは、電流源４４２をバイパス可能に設けられた第２スイッチＳＷ２を備える。またコントロールＩＣ４００Ａは、ＲＣＴ端子の過電圧状態を監視するＯＶＰ回路４５０を備える。ＯＶＰ回路４５０はコントローラ４１０の機能の一部として実装してもよい。あるいはＯＶＰ回路４５０は、コントローラ４１０の外部に電圧コンパレータで構成してもよい。ＯＶＰ回路４５０は、過電圧状態を検出すると、ＯＶＰ＿ＥＮ信号をアサートし、第２スイッチＳＷ２をターンオンする。
【００５２】
軽負荷あるいは無負荷状態では、第２スイッチＳＷ２はオフであり、第１スイッチＳＷ１のみがオンされる。これにより、ＤＭＰ端子からは、電流源４４２が生成するダンプ電流ＩＤＵＭＰがシンクされる。
【００５３】
ＯＶＰ回路４５０が過電圧状態を検出すると、第２スイッチＳＷ２がオンとなり、電流源４４２がバイパスされる。またＤＵＭＰ＿ＥＮ信号もアサートされ、第１スイッチＳＷ１もオンとなる。これにより、ＲＣＴ端子は、外付けの抵抗ＲＥＸＴを介して接地と接続され、ＲＣＴ端子の電位をクランプあるいは急峻に低下させることができる。
【００５４】
図４のコントロールＩＣ４００Ａによれば、図３のコントロールＩＣ４００と同様に、ダンプ電流ＩＤＵＭＰに起因するコントロールＩＣ４００Ａの発熱を抑制できる。また、ダンプ電流のエネルギーを消費させるための外付け抵抗ＲＥＸＴを、過電圧状態におけるクランプ素子と兼用することができる。
【００５５】
図５は、変形例２に係るコントロールＩＣ４００の一部（４００Ｂ）のブロック図である。ダンプ回路４４０Ｂの構成が、図４のダンプ回路４４０Ａと異なっており、具体的には、第２スイッチＳＷ２が、ＤＭＰ端子と接地の間に設けられる。
【００５６】
軽負荷状態では、ＤＵＭＰ＿ＥＮ信号がアサートされ、ＯＶＰ＿ＥＮ信号がネゲートされ、第１スイッチＳＷ１がオン、第２スイッチＳＷ２がオフとなる。過電圧状態では、ＯＶＰ＿ＥＮ信号がアサートされ、第２スイッチＳＷ２がオンとなる。このとき、第１スイッチＳＷ１の状態は問わない（Don't Care）。
【００５７】
図６は、変形例３に係る受電装置３００Ｃを示すブロック図である。コントロールＩＣ４００の構成は、図３〜図５のいずれかと同様である。この変形例３においてＤＭＰ端子は、外付けの抵抗ＲＥＸＴを介して、ＯＵＴ端子と接続される。図６等において、電流検出回路４３２やＡ／Ｄコンバータ４１２は図示しない。
【００５８】
この受電装置３００Ｃでは、ダンプ電流ＩＤＵＭＰが、電源回路４３０を経由して流れることとなる。そのためダンプ電流ＩＤＵＭＰが、出力電流ＩＯＵＴの検出値に反映される。コントローラ４１０は、異物検出（ＦＯＤ：Foreign Object Detection）や、送信電力制御のために、受電装置３００Ｃの受信電力ＰＲＸを計算する。この受信電力ＰＲＸの計算には、出力電流ＩＯＵＴが利用される。変形例１や変形例２では、ＩＯＵＴはＩＤＵＭＰを含まないため、ダンプ電流ＩＤＵＭＰは受信電力の計算に考慮されないが、変形例３では、ＩＯＵＴがＩＤＵＭＰを含むため、ダンプ電流ＩＤＵＭＰを考慮して、より正確に受信電力を計算することが可能となる。
【００５９】
図７は、変形例４に係る受電装置３００Ｄを示すブロック図である。コントロールＩＣ４００Ｃは、２系統のダンプ回路４４０＿１，４４０＿２と、２個のダンプ端子（ＤＭＰ１，ＤＭＰ２）を備える。ダンプ回路４４０＿１，４４０＿２の構成は、図３〜図５のいずれかと同様とすることができ、２個のダンプ回路４４０＿１，４４０＿２の構成は異なっていてもよい。ダンプ回路４４０＿１，４４０＿２は、独立してイネーブル状態とすることができる。
【００６０】
ＤＭＰ１端子は、抵抗ＲＥＸＴ１を介してＲＣＴ端子と接続され、ＤＭＰ２端子は、抵抗ＲＥＸＴ２を介してＯＵＴ端子と接続される。
【００６１】
コントローラ４１０は、コントロールＩＣ４００Ｄや負荷５０２の状態に応じて、２個のダンプ回路４４０＿１、４４０＿２を選択的にイネーブル状態としてもよい。
【００６２】
たとえば電源回路４３０の起動前は、ＯＵＴ端子からダンプ電流ＩＤＵＭＰ２を引き込んでも、整流回路４２０は無負荷のままである。そこで電源回路４３０の起動完了前は、ダンプ回路４４０＿１をイネーブル状態としてもよい。
【００６３】
そして、電源回路４３０の起動完了後に、出力電圧ＶＯＵＴがある程度高くなると、第２ダンプ電流ＩＤＵＭＰ２をシンクしてよい。電源回路４３０の出力電圧ＶＯＵＴが低い状態では、そもそも十分な量の第２ダンプ電流ＩＤＵＭＰ２をシンクできず、あるいは、出力電圧ＶＯＵＴが低い状態で第２ダンプ電流ＩＤＵＭＰ２をシンクすると、突入電流などの要因となり得る。そこで、電源回路４３０の起動完了前は、電源回路４３０の前段（ＲＣＴ）からダンプ電流ＩＤＵＭＰ１をシンクすることで、電源回路４３０の出力電圧ＶＯＵＴが低い状態でも、整流回路４２０が必要とする量のダンプ電流を流すことができ、回路動作を安定化できる。
【００６４】
（その他の変形例）
これまでの説明では、整流回路４２０がコントロールＩＣ４００に内蔵される場合を説明したがその限りでなく、同期整流回路４２２を構成するトランジスタはディスクリート部品であってもよい。
【００６５】
また、コントローラ４１０の機能は、コントロールＩＣ４００に外付けされるマイクロコントローラとして実装してもよい。
【００６６】
（用途）
最後に、実施の形態に係るワイヤレス受電装置３００を用いた電子機器の例を説明する。図８は、実施の形態に係る受電装置３００を備える電子機器５００を示す図である。図８の電子機器５００は、スマートホン、タブレットＰＣや携帯型ゲーム機、携帯型オーディオプレイヤであり、筐体５０１には、受信コイル３０２、整流回路３０４、平滑コンデンサ３０６、電源回路３０８等を含む受電装置３００が内蔵される。図８には、負荷５０２として、充電回路５０４、二次電池５０６、その他の電子回路５０８が示される。電子回路５０８は、無線（ＲＦ）部、ベースバンドプロセッサ、アプリケーションプロセッサ、オーディオプロセッサ等を含んでもよい。
【００６７】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００６８】
１００  給電システム
２００  送電装置
２０２  送信コイル
２０４  ドライバ
２０６  コントローラ
２０８  復調器
３００  受電装置
３０１  受信アンテナ
３０２  受信コイル
３０３  共振キャパシタ
３０４  整流回路
３０６  平滑コンデンサ
３０８  電源回路
４００  コントロールＩＣ
４１０  コントローラ
４１２  Ａ／Ｄコンバータ
４２０  整流回路
４２２  同期整流回路
４２４  同期整流コントローラ
４３０  電源回路
４３２  電流検出回路
４４０  ダンプ回路
４４２  電流源
ＳＷ１  第１スイッチ
ＳＷ２  第２スイッチ
４５０  ＯＶＰ回路
５００  電子機器
５０１  筐体
５０２  負荷
【図１】
2020167834.tif 000003
【図２】
2020167834.tif 000004
【図３】
2020167834.tif 000005
【図４】
2020167834.tif 000006
【図５】
2020167834.tif 000007
【図６】
2020167834.tif 000008
【図７】
2020167834.tif 000009
【図８】
2020167834.tif 000010